(57)【要約】【課題】利用者が後ろ向きに座る車椅子において、道の段差などを乗り上げやすくする。【解決手段】前輪４と後輪５を前後にそれぞれ設けたフレーム１に椅子部２を後ろ向きに設ける。フレーム１の後部側に基端側13Ａを固定したハンドル13の先端13Ｂ側を後方へ向けて設ける。後輪５を前輪４より大径に形成する。利用者Ｘは後ろ向きになって、介護者Ｙに対面することになるので、利用者Ｘ、介護者Ｙとも安心して移動することができる。そして、長さＬを小さくでき、握り部15を握る手元に第２の回転軸部23を近づけることができ、握り部15と第２の回転軸部23とが近くなるので、前輪４側の持ち上げ角度を微妙に調整することができる。【選択図】図１
0003147551.tif 000002
【実用新案登録請求の範囲】
【請求項１】
前輪と後輪を前後にそれぞれ設けたフレームに椅子部を後ろ向きに設けると共に、前記フレーム又は前記椅子部に基端側を固定したハンドルの先端側を後方へ向けて設け、前記後輪を前記前輪より大径に形成することを特徴とする車椅子。
【請求項２】
前記前輪の第１の回転軸部より前記後輪の第２の回転軸部を高い位置に設けたことを特徴とする請求項１記載の車椅子。
【請求項３】
前記ハンドルは、前記フレーム又は前記椅子部の後部側に基端を固定して後方斜め上方に突設する基端側杆と、この基端側杆に延設し後方に突設する握り部を前記先端側に有することを特徴とする請求項１又は２記載の車椅子。
【請求項４】
前記前輪がキャスターであることを特徴とする請求項１〜３のいずれか１項に記載の車椅子。
【請求項５】
前記前輪の第１の直径に対して、前記後輪の第２の直径は２倍以上に形成されていることを特徴とする請求項１〜４のいずれか１項に記載の車椅子。
【請求項６】
前記フレーム又は前記椅子部に前方へ向けて補助ハンドルを設けたことを特徴とする請求項１〜５のいずれか１項に記載の車椅子。
【請求項７】
前記椅子部は、座部と該座部の後部に立設するリクライニング式背当て部とを備えたことを特徴とする請求項１〜６のいずれか１項に記載の車椅子。
【考案の詳細な説明】
【技術分野】
【０００１】
本考案は、車椅子に関するものである。
【背景技術】
【０００２】
従来、車椅子は前輪と後輪を前後にそれぞれ設けたフレームに椅子部を前向きに設けると共に、前記フレームの後部側に基端側を固定したハンドルの先端側を後方へ向けて設けたものであった。
【０００３】
このような車椅子においては、利用者は前向きに座り、ハンドルを握って後押しする補助者は車椅子の後ろ側に立つので、利用者の顔と補助者の顔は向かい合わない。このため、利用者にとっては補助者の顔を見ることができないので不安感を持ちやすく、一方補助者にとっても利用者の顔を見ることができないので介護をしにくい等の問題があった。
【０００４】
このような問題を解決するものとして、パイプで形成された車椅子のフレームの、座席の両側に設けられたサイドフレームの前部に取付けられるハンドル固定部と、このハンドル固定部から上方に突設されたハンドル部とからなり、下り坂では、補助者は車椅子の前側に回ってサイドフレームの前部に取付けた補助ハンドルを握って後ろ向きに後退したり、また砂利道や凹凸のある工事中の道路、雪道などの悪路を走行する時には、補助者は車椅子の前側に回って補助ハンドルを握って、主車輪を前輪として車椅子を後ろ向きに押して走行できる車椅子用補助ハンドルが知られている（例えば、特許文献１）。
【０００５】
さらに、車椅子のシートをリクライニング式にしたものとして、座が取り付けられる座フレームの後端に連結ピンを設け、該連結ピンを介して背受けが取り付けられる背フレームを前後方向に回動可能に連結してなるや、各支点が略平行リンク支点となっているものや（例えば特許文献２）、電動車椅子は、乗員が着座するシートクッション（着座シート）とシートバック（背もたれ）とフットレスト（足置き）を含み、これらは相互にリンク機構を介して連結され、このリンク機構の作用によるリクライニング機能を持ち、乗員が着座し得る座位状態と乗員が横臥姿勢をとり得るフルフラット状態をとることができる電動車椅子も知られている（例えば特許文献３）。
【特許文献１】実用新案登録第３１１４３６３号公報
【特許文献２】実用新案登録第３１３９３６７号公報
【特許文献３】特開２００５−１９８７１１号公報
【考案の開示】
【考案が解決しようとする課題】
【０００６】
従来技術においては、補助者は車椅子の前側に回って径大な主車輪を前輪として車椅子を後ろ向きに押して走行するものであるが、このとき後輪は径小となるので、道の段差などを乗り上げにくくなるなどの問題を有する。
【０００７】
解決しようとする問題点は、利用者が後ろ向きに座る車椅子において、道の段差などを乗り上げやすくして利用しやすくする点である。
【課題を解決するための手段】
【０００８】
請求項１の考案は、前輪と後輪を前後にそれぞれ設けたフレームに椅子部を後ろ向きに設けると共に、前記フレーム又は前記椅子部に基端側を固定したハンドルの先端側を後方へ向けて設け、前記後輪を前記前輪より大径に形成することを特徴とする車椅子である。
【０００９】
請求項２の考案は、前記前輪の第１の回転軸部より前記後輪の第２の回転軸部を高い位置に設けたことを特徴とする請求項１記載の車椅子である。
【００１０】
請求項３の考案は、前記ハンドルは、前記フレーム又は前記椅子部の後部側に基端を固定して後方斜め上方に突設する基端側杆と、この基端側杆に延設し後方に突設する握り部を前記先端側に有することを特徴とする請求項１又は２記載の車椅子である。
【００１１】
請求項４の考案は、前記前輪がキャスターであることを特徴とする請求項１〜３のいずれか１項に記載の車椅子である。
【００１２】
請求項５の考案は、前記前輪の第１の直径に対して、前記後輪の第２の直径は２倍以上に形成されていることを特徴とする請求項１〜４のいずれか１項に記載の車椅子である。
【００１３】
請求項６の考案は、前記フレーム又は前記椅子部に前方へ向けて補助ハンドルを設けたことを特徴とする請求項１〜５のいずれか１項に記載の車椅子である。
【００１４】
請求項７の考案は、前記椅子部は、座部と該座部の後部に立設するリクライニング式背当て部とを備えたことを特徴とする請求項１〜６のいずれか１項に記載の車椅子である。
【考案の効果】
【００１５】
請求項１の考案によれば、後輪の中心を回転中心として前輪を持ち上げるとき、握り部と回転中心とが近くなり、手元の近くに回転中心が位置するようになる。
【００１６】
請求項２の考案によれば、握り部と後輪側の回転中心とを近くできる。
【００１７】
請求項３の考案によれば、椅子部と離間して握り部を設けることができ、介護者の姿勢を楽にすることができる。
【００１８】
請求項４の考案によれば、キャスターによって車椅子を所望方向に向けることができる。
【００１９】
請求項５の考案によれば、後輪の中心と握り部との間隔を確実に狭めることができる。
【００２０】
請求項６の考案によれば、補助ハンドルを握って利用者が前進方向に向いて移動することができる。
【００２１】
請求項７の考案によれば、背当て部をリクライニングすることで、利用者は楽な姿勢で座ることができる。
【考案を実施するための最良の形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２３】
図１〜２に示すように、車椅子のフレーム１には利用者Ｘが進行方向Ｆ、すなわち前方に対して後ろ向きに座れるように椅子部２が後ろ向きに設けられている。後述する前輪、後輪、椅子部を支持するためのフレーム１は左右一対のサイドフレーム３の間にこれらを支持するための補強パイプ(図示せず)が横架したものである。サイドフレーム３は、前後に配置され前輪４側、後輪５側を回動自在に支持する前脚部６、後脚部７と、これらを前後方向に架設する架設部８，８Ａを上下に備えている。またサイドフレーム３と補強パイプとで支持された椅子部２は、座部９とこの座部９の前側に立設する背当て部10を有する。この背当て部10は、背当て部10の左右に立設した支持パイプ10Ａの下端を軸10Ｂを介してフレーム１に、実施例では架設部８Ａに回動自在に設けると共に、支持パイプ10Ａとフレーム１、実施例では下側の架設部８Ａとの間に、リクライニング機構８Ｃを介在している。リクライニング機構８Ｃは、背当て部10（支持パイプ10Ａ）が断続或いは連続して軸10Ｂを中心に一点鎖線で示すように後方へ倒れることが可能であると共に、所定角度で固定できるものであり、具体的メカニズムとしては従来技術のような周知の各種のリクライニング椅子のものを利用すればよい。さらに、上側の架設部８にはひじ当て部11が上方に配置された架設部８を介して設けられていると共に、後脚部７の下端には足置き用のフットプレート12が後方に向けて横向きに設けられている。
【００２４】
さらに、サイドフレーム３には、手押しのために後方に向けてハンドル13が設けられている。このハンドル13の前部はフレーム１の後部、実施例では後脚部７の上部側に基端13Ａを接続している。ハンドル13の後部は前部より後方に向けて斜め上方に基端側杆14が突設しており、その先端13Ｂに握り部15が前後方向に横向きに設けられている。
【００２５】
さらに、前輪４の第１の直径Ａより後輪５の第２の直径Ｂは大径である。実施例では第１の直径Ａより第２の直径Ｂは２倍以上に形成されている（Ｂ＞２Ａ）。前輪４の第１の直径Ａは従来の後輪にほぼ相当する直径であり、一方後輪５の第２の直径Ｂは従来の前輪にほぼ相当する直径である。そして、前輪４は前脚部６の下部側に旋回自在に取着された旋回部17と、該旋回部17から下方に向けて突設された左右一対の支持ヨーク18と、該支持ヨーク18の下端部に回転中心となる第１の回転軸部19を介して回転自在に取着された前輪車輪本体20とを具備したキャスターによって形成されている。
【００２６】
また、後輪５はタイヤからなる後輪本体21の中心にスポーク22を介して回転中心となる第２の回転軸部23が左右方向に向けられて設けられている。そして、この第２の回転軸部23が後脚部７の高さ方向のほぼ中央に軸受け（図示せず）を介して遊転可能に設けられている。後輪本体21の外側にハンドリム24が一体的に設けられている。
【００２７】
さらに、椅子部２に前方、すなわち進行方向Ｆへ向けやや突設して握り部を備えた補助ハンドル25を前方へ向けて設けている。
【００２８】
尚、実施例ではハンドル１３をフレーム３の後部側に設けたが椅子部２の後部側に設けてもよい。
【００２９】
次に前記構成についてその作用を説明する。利用者Ｘは進行方向Ｆに対して反対側を向いて、尻を座部９に置き、背中を背当て部10に当てると共に、脚をフットプレート12に置いて椅子部２に座る。この際、リクライニング機構８Ｃを利用して背当て部10を一点鎖線で示すように倒して背を当てることで利用者は楽な姿勢で座ることができる。
【００３０】
そして、介護者Ｙは、車椅子の後ろ側に立って握り部15を握って押して車椅子を進行方向Ｆに進めるものである。この際、利用者Ｘは後ろ向きであり、介護者Ｙは前向きであるので、両者は向き合い、お互いの顔を見ることができ、このため利用者Ｘ、介護者Ｙとも安心感を得ることができる。
【００３１】
このような車椅子の進行状態において、例えば段差を乗り越えるような場合には、握り部15を押し下げて、後輪５が接地して前輪４側を持ち上げる。この持ち上げの際の第２の回転軸部23が回転中心となり、この中心は前輪４より高い箇所に配置されるので、握り部15と第２の回転軸部23間の長さＬを短くでき、特に両者間の高さを短くでき、この結果握り部15の近くに持ち上げ時の回転中心が配置されることで、握り部15の力の入れ具合に伴う起き上がり状態を微妙に調整でき、利用者Ｘが段差越えの際に不安になるおそれをいっそう少なくすることができる。
【００３２】
尚、車椅子を進行方向Ｆとは逆方向Ｒにするには、補助ハンドル25を介護者が握って車椅子を押して走行する。
【００３３】
以上のように、前記実施例では請求項１に対応して、前輪４と後輪５を前後にそれぞれ設けたフレーム１に椅子部２を後ろ向きに設けると共に、フレーム１に基端側13Ａを固定したハンドル13の先端13Ｂ側を後方へ向けて設けたことで、利用者Ｘは後ろ向きになって、介護者Ｙに対面することになるので、利用者Ｘ、介護者Ｙとも安心して移動することができる。そして、後輪５を前輪４より大径に形成することで、ハンドル13と後輪５の中心である第２の回転軸部23との長さＬを小さくして、握り部15を握る手元に第２の回転軸部23を近づけることができるので、車椅子を停止した状態で第２の回転軸部23を回転中心として前輪４を持ち上げるとき、握り部15と第２の回転軸部23とが近くなるので、すなわち手元の近くに第２の回転軸部23が位置するので、前輪４側の持ち上げ角度を微妙に調整することができる。
【００３４】
前記実施例では請求項２に対応して、前輪４の第１の回転軸部19より後輪５の第２の回転軸部23を高い位置に設けたことによって、握り部15と後輪５側の持ち上げに伴う回転軸とが近くなるので、前輪４側の持ち上げ角度を微妙に調整することができる。
【００３５】
前記実施例では請求項３に対応して、前記ハンドル13は、フレーム１のサイドフレーム３の後部側に基端13Ａを固定して後方斜め上方に突設する基端側杆14と、この基端側杆14に延設し後方横向きに突設する握り部15を有することにより、椅子部２と離間して握り部15を設けることができ、介護者Ｙが腰を曲げるような無理な姿勢で車椅子を押すようなことはない。
【００３６】
前記実施例では請求項４に対応して、前輪４がキャスターであることにより、ハンドル13を所望方向に押して移動する際、キャスターによって車椅子を所望方向に向けることができる。
【００３７】
前記実施例では請求項５に対応して、前輪４の第１の直径Ａに対して、後輪５の第２の直径Ｂは２倍以上に形成されていることによって、第２の回転軸部23と握り部15との間隔を確実に狭めることができる。
【００３８】
また、前記実施例では請求項６に対応して、椅子部２に前方へ向けて補助ハンドル25を設けたことにより、介護者が補助ハンドル25を握って車椅子を押すことで、利用者が前向きとなって逆方向Ｒに移動することができる。尚、補助ハンドル25は椅子部2ではなくフレーム１に設けるようにしてもよい。
【００３９】
前記実施例では請求項７に対応して、前記椅子部２は、座部９にこの座部９の後部に立設する背当て部10をリクライニング機構８Ｃを介して設けたことで、背当て部10を傾けて利用者Ｘが楽な姿勢で座ることができる。
【産業上の利用可能性】
【００４０】
以上のように本考案にかかる車椅子は、各種の用途に適用できる。例えば、ハンドル13、補助ハンドル25をそれぞれ折りたたみ可能なようにしてもよい。
【図面の簡単な説明】
【００４１】
【図１】本考案の第１実施例を示す後側からの斜視図である。
【図２】同前側からの斜視図である。
【符号の説明】
【００４２】
１  フレーム
２  椅子部
３  サイドフレーム
４  前輪
５  後輪
８Ｃ  リクライニング機構
13  ハンドル
13Ａ  基端側
13Ｂ  先端
14  基端側杆
15  握り部
19  第１の回転軸部
23  第２の回転軸部
25  補助ハンドル
Ａ  第１の直径
Ｂ  第２の直径
【図１】
0003147551.tif 000003
【図２】
0003147551.tif 000004